(57)【要約】【課題】本発明は、無垢の木の化粧打ち込み型枠で構築する構築物の、使い分け可能な仮設足場用ブラケット、及び仮設足場を提供するものである。【解決手段】  固定金物７とボルト部材８を有した水平部材５に、すべり止め部材９を装着した支え部材６を、水平部材５と結合して水平部材５のボルト部材８部分に、鎹付接続部材１６をねじ締め結合して第一仮設足場用ブラケット１を構成する。その第一仮設足場用ブラケット１を無垢の木の化粧打ち込み内壁型枠２８に固定された、複数の孔を有する接続部材１５に、第一仮設足場用ブラケット１の鎹付接続部材１６部分を引っ掛けて足場板２０を掛け渡し、手摺受けソケット２５に手摺柱部材２６と手摺部材２７を用いて手摺をなし、鉄筋の組み足場や型枠の組み足場としてなることを特徴とする。【選択図】  図２
2008196176.tif 000002
【特許請求の範囲】
【請求項１】
使い分け可能な仮設足場用ブラケットであって、固定金物とボルト部材を有した水平部材と、それを支える脱着可能な支え部材を用いて仮設足場用ブラケットを構成することを特徴とする、使い分け可能な仮設足場用ブラケット。
【請求項２】
請求項１記載の、固定金物とボルト部材を有した水平部材のボルト部材に、鎹付接続部材を取り付けて他方の無垢の木の化粧打ち込み型枠に設けられた複数の孔を有する接続部材に取り付けることを特徴とする、第一仮設足場用ブラケット。
【請求項３】
前記、固定金物とボルト部材を有した水平部材の固定金物で手摺受けソケットを締め固定して手摺の取り付けが容易にできることを特徴とする、請求項２記載の、第一仮設足場用ブラケット。      
【請求項４】
前記、固定金物とボルト部材を有した水平部材のボルト部材を用いて他方に設けられた足場受けインサートに取り付けることを特徴とする、第二仮設足場用ブラケット。
【請求項５】
前記、固定金物とボルト部材を有した水平部材の固定金物を足場鋼管に固定して足場となすことを特徴とする、第三仮設足場用ブラケット。
【請求項６】
前記、固定金物とボルト部材を有した水平部材の固定金物を足場鋼管に固定してボルト部材で荷崩れ防止部材を取り付けた荷受足場となすことを特徴とする、第四仮設足場用ブラケット。
【請求項７】
請求項１記載の、脱着可能な支え部材にすべり止め部材を装着したことを特徴とする、使い分け可能な仮設足場用ブラケット。
【発明の詳細な説明】
【技術分野】
【０００１】
本発明は、建物を構築する仮設足場に関するものである。
【背景技術】
【０００２】
従来の建築現場における仮設足場は、成型された鋼製足場や鋼管で組んだ仮設足場が大半であり、所要の長さを備えた支柱を構築物の外壁面に沿って所定の間隔毎に二列に並設して、支柱にブラケットを連結して足場板を架設構成した仮設足場や構築物の張り出し部に対応するために、調整可能なブラケットを連結した仮設足場等がある。
【０００３】
【特許文献１】特許公開２００１−１７３２２２
【発明の開示】
【発明が解決しようとする課題】
【０００４】
前記したように、成型された鋼製足場や鋼管で組んだ仮設足場は、所要の長さを備えた支柱を構築物の外壁面に沿って所定の間隔毎に二列に並設し、支柱にブラケットを連結して足場板を架設構成した仮設足場や構築物の張り出し部に対応するために、調整可能なブラケットを連結した仮設足場等があるが、いずれも地盤とか仮設ブラケットなどの上に構築されるものである。特に壁配筋や型枠組みの場合は仮設足場の支柱が作業に大きな支障をきたしている。
【０００５】
従来の仮設足場の機能は基盤の上に構築されたもので、足場としての機能はするが、必要な場所に必要な仮設足場が容易に構築できる訳ではない。それらの仮設足場を容易に移動したり、仮設足場材の機能を変えたりできる訳でもない。
【０００６】
本発明は、前記問題点を解決し、二列に並設した支柱や構築物の張り出し部の対応も配慮した、常に構築物の外壁面に対して適性に構築することができる、使い分け可能な仮設足場用ブラケット及び仮設足場を提供しようとするものである。
【課題を解決するための手段】
【０００７】
前記の課題を解決するため、本発明に係る使い分け可能な仮設足場用ブラケットは、使い分け可能な仮設足場用ブラケットであって、固定金物とボルト部材を有した水平部材と、それを支える脱着可能な支え部材を用いて仮設足場用ブラケットを構成することを特徴とする、使い分け可能な仮設足場用ブラケットを要旨とするものである。
【０００８】
請求項２に係る仮設足場用ブラケットは、固定金物とボルト部材を有した水平部材のボルト部材に、鎹付接続部材を取り付けて他方の無垢の木の化粧打ち込み型枠に設けられた複数の孔を有する接続部材に取り付けることを特徴とする、第一仮設足場用ブラケットを要旨とするものである。
【０００９】
請求項３に係る仮設足場用ブラケットは、固定金物とボルト部材を有した水平部材の固定金物で手摺受けソケットを締め固定して手摺の取り付けが容易にできることを特徴とする、請求項２記載の、第一仮設足場用ブラケットを要旨とするものである。
【００１０】
請求項４に係る仮設足場用ブラケットは、固定金物とボルト部材を有した水平部材のボルト部材を用いて他方に設けられた足場受けインサートに取り付けることを特徴とする、第二仮設足場用ブラケットを要旨とするものである。
【００１１】
請求項５に係る仮設足場用ブラケットは、固定金物とボルト部材を有した水平部材の固定金物を足場鋼管に固定して足場となすことを特徴とする、第三仮設足場用ブラケットを要旨とするものである。
【００１２】
請求項６に係る仮設足場用ブラケットは、固定金物とボルト部材を有した水平部材の固定金物を足場鋼管に固定してボルト部材で荷崩れ防止部材を取り付けた荷受足場となすことを特徴とする、第四仮設足場用ブラケットを要旨とするものである。
【００１３】
請求項７に係る仮設足場用ブラケットは、脱着可能な支え部材にすべり止め部材を装着したことを特徴とする、使い分け可能な仮設足場用ブラケットを要旨とするものである。
【発明の効果】
【００１４】
以上説明したように、請求項２、請求項３記載の単体の第一仮設足場用ブラケットは無垢の木の化粧打ち込み内壁型枠に容易に取り付けることが可能であり、鉄筋工でも多能工でも容易に取り付けることが可能である、そのことにより壁配筋をしながら必要なとき必要な場所に自由に壁配筋作業と並行して鉄筋の組み足場が構築できる。また、従来の足場のような支柱がないため長い壁筋の持ち込みと配筋作業や無垢の木の化粧打ち込み外壁型枠組みも容易にできる。
【００１５】
請求項４記載の第２仮設足場用ブラケットは、前記、第一仮設足場用ブラケットから鎹付接続部材を除いて構成したもので、無垢の木の化粧打ち込み外壁型枠に取り付けて仕上げ足場とすることができる。また、第２仮設足場用ブラケットを仮設足場として使用するのではなく構築物のデザインの一部として残すことも可能であり、構築物の外壁である無垢の木の化粧板壁の維持管理が容易にできる。
【００１６】
請求項５記載の第３仮設足場用ブラケットは、前記、第２仮設足場用ブラケットを組み替え構成したもので、一般の構築物の仮設足場としても対応する、第３仮設足場用ブラケットを使用したブラケット足場が構築できる。
【００１７】
請求項６記載の第４仮設足場用ブラケットは、単体なのでいろいろな既設の仮設足場にも容易に荷受足場の構築を可能にする。
【００１８】
以上発明の効果を説明してきたが、使い分け可能な仮設足場用ブラケットの最も優れているところは部材の組み合わせによって、いろいろな仮設足場が敏速にかつ容易に構築できることにある。しかも解体すれば大きな仮設材置き場を必要としない最小の部材に戻せることも大きな特徴の一つであり大きな効果である。
【発明を実施するための最良の形態】
【００１９】
以下、本発明の実施の形態を図面に基づき詳細に説明する。
【００２０】
図1〜図4は本発明の実施の形態を示したものであり、図1は無垢の木の化粧打ち込み内壁型枠に取り付けた第一仮設足場用ブラケットの実施例を示す側面図、図2は無垢の木の化粧打ち込み外壁型枠に取り付けた第二仮設足場用ブラケットの実施例を示す側面図、図3は構築物の外壁面に併設した第三仮設足場用ブラケットの実施例を示す側面図である、図4は構築物の外壁面に併設した第三仮設足場用ブラケットと第四仮設足場用ブラケットの実施例を示す側面図、図５は第一仮設足場用ブラケットを示す側面図、図６は第一仮設足場用ブラケットを示す平面図、図７は第二仮設足場用ブラケットを示す側面図、図８は第二仮設足場用ブラケットを示す平面図、図９は第三仮設足場用ブラケットを示す側面図、図１０は第四仮設足場用ブラケットを示す側面図である。
【００２１】
図１は無垢の木の化粧打ち込み内壁型枠に取り付けた第一仮設足場用ブラケットの実施例を示す側面図で、構築物を構築する鉄筋の組み足場として、図５の第一仮設足場用ブラケット１に示すように、固定金物７とボルト部材８を有した複数のボルト孔１０を開けた水平部材５の固定金物７で手摺受けソケット２５を締め固定して、すべり止め部材９を装着した複数のボルト孔１０を開けた支え部材６を、水平部材５のボルト孔１０を利用して、ボルト１１と蝶ナット１２を用いて水平部材５と結合して水平部材５のボルト部材８部分に、鎹付接続部材１６をねじ締め結合して第一仮設足場用ブラケット１を構成する。その第一仮設足場用ブラケット１を無垢の木の化粧打ち込み内壁型枠２８に固定された、複数の孔を有する接続部材１５に、第一仮設足場用ブラケット１の鎹付接続部材１６部分を引っ掛けて鉄筋の組み足場としたものである。
【００２２】
図２は無垢の木の化粧打ち込み外壁型枠に取り付けた第二仮設足場用ブラケットの実施例を示す側面図で、図５の第一仮設足場用ブラケット１から鎹付接続部材１６を除き、すべり止め部材９を装着した複数のボルト孔１０を開けた支え部材６を移動して、図７に示すように、第二仮設足場用ブラケット２を構成して、無垢の木の化粧打ち込み外壁型枠１４に固定した足場受けインサート１９に、第二仮設足場用ブラケット２のボルト部材８部分をねじ込み固定して足場板２０を掛け渡し、手摺受けソケット２５に手摺柱部材２６と手摺部材２７を用いて手摺を取り付けて、無垢の木の化粧打ち込み外壁型枠１４の仕上げ足場としたものである。
【００２３】
図３は構築物の外壁面に併設した第三仮設足場用ブラケットの実施例を示す側面図で、図９に示すように、固定金物７とボルト部材８を有した複数のボルト孔１０を開けた水平部材５に、すべり止め部材９を装着した複数のボルト孔１０を開けた支え部材６を、図７の第二仮設足場用ブラケット２とは逆方向に水平部材５のボルト孔１０を利用してボルト１１と蝶ナット１２を用いて水平部材５と結合して第三仮設足場用ブラケットを構成する。その第三ブラケットのボルト部材８のねじ部分に養生ナット２４をねじ込み（ボルト部材８に延長部材２３の取り付けも可能）固定金物７を用いて足場鋼管１３に取り付けて、図３に示すような外壁面に並行の第三仮設足場用ブラケット３を利用した足場としたものである。
【００２４】
図４は構築物の外壁面に併設した第三仮設足場用ブラケットと第四仮設足場用ブラケットの実施例を示す側面図で、図９に示した第三仮設足場用ブラケット３のボルト部材８に荷崩れ防止部材２１を固定ナット２２で固定をして第四仮設足場用ブラケット４を構成する。その第四仮設足場用ブラケット４の固定金物７で足場鋼管１３に固定して、図４に示す荷受足場としたものである。
【実施例】
【００２５】
無垢の木の化粧打ち込み型枠で構築する構築物の足場は、図５の第一仮設足場用ブラケット１を利用して多能工が壁配筋と並行して鉄筋足場を組み、無垢の木の化粧打ち込み外壁型枠１４の型枠組みをする。その型枠組みと並行して無垢の木の化粧打ち込み外壁型枠１４に設けられた足場受けインサート１９に、図７の第二仮設足場用ブラケット２（第一仮設足場用ブラケット１を組み替え構成したもの）をねじ込み固定して、図２の無垢の木の化粧打ち込み外壁型枠に取り付けた第二仮設足場用ブラケットの無垢の木の化粧打ち込み外壁型枠１４の仕上げ足場を構築する。このことにより従来の仮設足場は足場職人が構築するという概念を変えて多能工でも容易に構築できる仮設足場となる。
【００２６】
以上、本発明は各部材を結合する実施の形態を説明したが、本発明の範囲はこれに限定されるものではない。例えば、仮設足場用ブラケットを一体成型したものなど状況に応じて適宜選択されるものである。
【図面の簡単な説明】
【００２７】
【図１】本発明の無垢の木の化粧打ち込み内壁型枠に取り付けた第一仮設足場用ブラケットの実施例を示す側面図である。
【図２】無垢の木の化粧打ち込み外壁型枠に取り付けた第二仮設足場用ブラケットの実施例を示す側面図である。
【図３】構築物の外壁面に併設した第三仮設足場用ブラケットの実施例を示す側面図である。
【図４】構築物の外壁面に併設した第三仮設足場用ブラケットと第四仮設足場用ブラケットの実施例を示す側面図である
【図５】第一仮設足場用ブラケットを示す側面図である。
【図６】第一仮設足場用ブラケットを示す平面図である。
【図７】第二仮設足場用ブラケットを示す側面図である。
【図８】第二仮設足場用ブラケットを示す平面図である。
【図９】第三仮設足場用ブラケットを示す側面図である。
【図１０】実施例の第四仮設足場用ブラケットを示す側面図である。
【符号の説明】
【００２８】
第一仮設足場用ブラケット
第二仮設足場用ブラケット
第三仮設足場用ブラケット
第四仮設足場用ブラケット
水平部材
支え部材
固定金物
ボルト部材
すべり止め部材
ボルト孔
ボルト
蝶ナット
足場鋼管
無垢の木の化粧打ち込み外壁型枠
複数の孔を有する接続部材
鎹付接続部材
鎹状のセパレータ
コンクリート
足場受けインサート
足場板
荷崩れ防止部材
固定ナット
延長部材
養生ナット
手摺受けソケット
手摺柱部材
手摺
無垢の木の化粧打ち込み内壁型枠
外壁面
【図１】
2008196176.tif 000003
【図２】
2008196176.tif 000004
【図３】
2008196176.tif 000005
【図４】
2008196176.tif 000006
【図５】
2008196176.tif 000007
【図６】
2008196176.tif 000008
【図７】
2008196176.tif 000009
【図８】
2008196176.tif 000010
【図９】
2008196176.tif 000011
【図１０】
2008196176.tif 000012